(57)【特許請求の範囲】
【請求項１】
框と上桟及び下桟とで構成された枠内に固定部と摺上部とを嵌め込んだけんどん式の通風障子であって、
框の裏面側中央部に固定され、上桟及び下桟のそれぞれとの間に距離を有する固定部と、該固定部の上つばと上桟との間を塞ぐ上部摺上部と、該固定部の下つばと下桟との間を塞ぐ下部摺上部とを有し、
上部摺上部と下部摺上部が固定部よりも表面側に形成された框内の溝に上下方向に摺動可能に嵌め込まれており、
少なくとも上部摺上部及び下部摺上部は、水平方向中央部と水平方向両端とのいずれか一方又は両方に引き手を兼ねる吹き寄せ部を備えると共に、該吹き寄せ部以外に障子紙を太鼓張りして形成されていることを特徴とする通風障子。
【請求項２】
前記固定部は吹き寄せ部を備え、
前記上部摺上部及び前記下部摺上部の吹き寄せ部には、裏面側にのみ障子紙が張られており、
前記固定部の吹き寄せ部には、表面側にのみ障子紙が張られていることを特徴とする請求項１に記載の通風障子。
【発明の詳細な説明】
【技術分野】
【０００１】
本発明は、住宅内において間仕切りや出入り口の引き戸、さらには窓の内側の目隠しとして用いられる障子に関する。
【背景技術】
【０００２】
従来より、住宅内において用いられている障子として、框と上桟及び下桟とからなる障子枠の内部に、上下方向に可動する２枚の摺上部を嵌め込んだ構成が知られている（特許文献１参照）。
【０００３】
また、障子の引き手は障子の縁の框に設けるのが一般的であり、框に凹部を彫り込んで引き手部材を埋め込んでいた。よって、上記のような障子枠内に摺上部を嵌め込んだ構成においても、障子枠に別途引き手を設ける必要があった。
【０００４】
【特許文献１】特開平１１−２４１５７２号公報
【発明の開示】
【発明が解決しようとする課題】
【０００５】
一般的な住宅において、従来の摺上部を有する障子を取り付けた場合、摺上部を全開すると、摺上部が上部及び下部のいずれの場合も外部から覗かれ易いという問題があった。
【０００６】
また、框に引き手を設ける場合、加工に手間がかかる上、引き手部材を埋め込むに十分な見付け幅を確保する必要があり、採光上有効な面積が減ってしまうという問題や、軽快感に欠ける意匠になりがちであるという問題があった。
【０００７】
本発明の課題は、摺上部を全開にして良好な通風性を確保した場合であっても、適切な位置の目隠しを確保しうる通風障子を提供することにあり、また、採光上有効な面積が広い通風障子を提供することにある。
【課題を解決するための手段】
【０００８】
本発明は、框と上桟及び下桟とで構成された枠内に固定部と摺上部とを嵌め込んだけんどん式の通風障子であって、
框の裏面側中央部に固定され、上桟及び下桟のそれぞれとの間に距離を有する固定部と、該固定部の上つばと上桟との間を塞ぐ上部摺上部と、該固定部の下つばと下桟との間を塞ぐ下部摺上部とを有し、
上部摺上部と下部摺上部が固定部よりも表面側に形成された框内の溝に上下方向に摺動可能に嵌め込まれており、
少なくとも上部摺上部及び下部摺上部は、水平方向中央部と水平方向両端とのいずれか一方又は両方に引き手を兼ねる吹き寄せ部を備えると共に、該吹き寄せ部以外に障子紙を太鼓張りして形成されていることを特徴とする。
【０００９】
上記本発明の通風障子においては、前記固定部は吹き寄せ部を備え、前記上部摺上部及び前記下部摺上部の吹き寄せ部には、裏面側にのみ障子紙が張られており、
前記固定部の吹き寄せ部には、表面側にのみ障子紙が張られていることが好ましい。
【発明の効果】
【００１０】
本発明の通風障子は、摺上部を全開にした場合でも、障子の中央部は固定部によって目隠しされるため、外部より覗かれにくい。また、摺上部と固定部にそれぞれ設けた吹き寄せ部を引き手として利用するため、框に障子の引き手を設ける必要がなく、採光上有効な面積を広くとることができる。係る吹き寄せ部は摺上部の上下動の際の引き手としても利用できるため、摺上部のつばに引き手を設ける必要もなく、該つばの幅を狭くして上下方向においても採光上有効な面積を広くとることができる。
【発明を実施するための最良の形態】
【００１１】
以下に本発明の通風障子の好ましい実施形態を図面を用いて説明する。
【００１２】
図１は、本発明の通風障子の一実施形態の構成を表面側から見た概略斜視図である。図中、１１は框、１２は上桟、１３は下桟、２０は固定部、３０は上部摺上部、４０は下部摺上部であり、２１，３１，４１は吹き寄せ部である。また、図１の通風障子の枠を取った状態を表面側から見た概略斜視図を図２に、裏面側から見た概略斜視図を図３に、さらに、上下の摺上部１２，１３を上下動させて固定部２０に重ねた状態を表面側から見た概略斜視図を図４（ａ）に、裏面側から見た概略斜視図を図４（ｂ）に、それぞれ示す。また、図１の通風障子の垂直方向断面概略図（図１のＡ−Ａ’相当）を図５に、水平方向断面概略図（図４（ａ）のＡ−Ａ’相当）を図６にそれぞれ示す。図２〜図６において、２２，３２，４２はつば、２３，３３，４３は障子紙、２４は横子、２５，３５は竪子である。
【００１３】
本発明の通風障子は、２本の框１１と上桟１２、下桟１３とからなる枠の内側に、固定部２０と上部摺上部３０と下部摺上部４０とを嵌め込んでなり、固定部２０は框１１の裏面側中央部に固定されている。また、固定部２０は枠の上桟１２及び下桟１３との間にそれぞれ所定の距離を有しており、この空き領域はそれぞれ上部摺上部３０と下部摺上部４０とによって塞がれている。上部摺上部３０と下部摺上部４０とは、図５、図６に示すように、固定部２０よりも表面側に形成された框内の溝に上下方向に摺動可能に嵌め込まれており、上部摺上部３０を下方に、下部摺上部４０を上方に移動させた場合には、図４に示すように固定部２０の表面側に重なる。尚、上部摺上部３０と下部摺上部４０とは、側面に板ばね（不図示）などを取り付け、所望の位置に停止するように構成されている。
【００１４】
本発明の通風障子は、上記したように上部と下部とにそれぞれ摺上部３０，４０を設けて開放可能とし、最も視界を遮りたい中央部は固定部２０によって常に遮断されている。よって、当該通風障子を配置した場所の条件によって、適宜、上下摺上部３０，４０を上下方向に摺動させることにより、外部からの視界を遮りつつ、良好な通風性を確保することができる。
【００１５】
本発明においては、固定部２０、上部摺上部３０及び下部摺上部４０がそれぞれ竪子の間隔が狭い吹き寄せ部２１，３１，４１を有しており、該吹き寄せ部２１，３１，４１以外は障子紙２３，３３，４３が太鼓張りされている。また、固定部２０の吹き寄せ部２１は表面側にのみ障子紙２３が張られ、上部摺上部３０の吹き寄せ部３１及び下部摺上部４０の吹き寄せ部４１は裏面側にのみ障子紙３３，４３が張られている。そのため、表面側では吹き寄せ部３１，４１が、裏面側では吹き寄せ部２１がそれぞれ凹部を形成しており、該凹部が本発明の通風障子を水平方向に移動させる際の引き手となる。さらに、吹き寄せ部３１，４１については、上部摺上部３０及び下部摺上部４０を上下に摺動させる際の引き手としても用いられる。即ち、本発明の通風障子においては、これら吹き寄せ部２１，３１，４１を引き手として用いるため、別途引き手を設ける必要がなく、框やつばに引き手を設けるための見付け幅を確保する必要がない。
【００１６】
尚、図１〜図３に示した例においては、吹き寄せ部２１，３１，４１を水平方向中央部に１本ずつ形成しているが、特に当該形態に限定されるものではなく、図７に示すように水平方向両端にそれぞれつばと竪子で形成しても良く、また、図８に示すように、中央部と両端とに形成してもかまわない。
【００１７】
本発明の通風障子は通常２．０〜２．４ｍの高さで構成される。特に好ましい形態としては、上部摺上部３０と固定部２０と下部摺上部４０の高さの比を１：２：１とする。即ち、上部摺上部３０を下方に、下部摺上部４０を上方にそれぞれ移動させた際に、図４に示すように、上部摺上部３０と下部摺上部４０とが固定部２０に完全に重なり、良好な意匠性が得られる。特に、それぞれの吹き寄せ部、つば、竪子や横子の組子が互いに重なり合うように構成しておく。具体的には、図５に示す、上部摺上部４０の高さ（Ｌ３）及び下部摺上部３０の高さ（Ｌ４）を固定部２０の高さ（Ｌ２）の１／２に設定する。さらに、各部材のつば２２，３２，４２の幅（Ｔ２１，Ｔ３，Ｔ４）を一致させ、固定部２０においては、中央に横子２４を設け、該横子２４の幅（Ｔ２２）をつば３２，４３の幅（Ｔ３，Ｔ４）の２倍とする。これにより、上部摺上部３０及び下部摺上部４０が固定部２０に重なり合った際には、つばや組子の重なりにずれがなく、半透明の障子紙を通して重なったつばや組子が視認され、意匠性に富むものとなる。
【００１８】
上記した高さ及び高さの比で通風障子を構成することにより、上部摺上部３０を全開した場合には開口部の下端の高さは床面より凡そ１．４〜１．８ｍとなり、隣室を歩行する標準的な身長の成人の視線を遮ることができる。また、下部摺上部４０を全開にした場合においても開口部の上端の高さは床面より凡そ０．４〜０．６ｍとなるので、通風障子に近接して床面に直に座らない限りは隣室を歩行する標準的な身長の成人の視線を遮ることができる。
【００１９】
尚、図１〜図３には、必要最小限の組子を形成した例を示したが、通常の障子の如く細かな格子状の組子を用いても良く、所望の意匠を付与することが可能である。
【００２０】
また、図５，図６においては、枠やつば、組子をアルミ等で成形した形態を示したが、従来のように木製で構成することも可能である。
【図面の簡単な説明】
【００２１】
【図１】本発明の通風障子の一実施形態の構成を表面側から見た概略斜視図である。
【図２】図１の通風障子の枠を取った状態を表面側から見た概略斜視図である。
【図３】図１の通風障子の枠を取った状態を裏面側から見た概略斜視図である。
【図４】図２及び図３の通風障子の摺上部と固定部を重ねた状態の概略斜視図である。
【図５】図１の通風障子の垂直方向断面概略図である。
【図６】図１の通風障子の水平方向断面概略図である。
【図７】図１とは異なる位置に吹き寄せ部を設けた例の概略斜視図である。
【図８】図１に異なる位置の吹き寄せ部を加えた例の概略斜視図である。
【符号の説明】
【００２２】
１１  框
１２  上桟
１３  下桟
２０  固定部
３０  上部摺上部
４０  下部摺上部
２１，３１，４１  吹き寄せ部
２２，３２，４２  つば
２３，３３，４３  障子紙
２４  横子
２５，３５  竪子
【図１】
0004781903.tif 000002
【図２】
0004781903.tif 000003
【図３】
0004781903.tif 000004
【図４】
0004781903.tif 000005
【図５】
0004781903.tif 000006
【図６】
0004781903.tif 000007
【図７】
0004781903.tif 000008
【図８】
0004781903.tif 000009